(57)【要約】【課題】マーカ物質の探索支援方法、探索支援プログラムおよび探索支援装置を提供する。【解決手段】  疾患のマーカ物質の探索支援方法は、被検体において疾病に起因して病変した組織の病変領域から採取された第１のサンプルを質量分析して得られた第１のスペクトルデータを取得するステップ４１と、病変した組織の非病変領域から採取された第２のサンプルを質量分析して得られた第２のスペクトルデータを取得するステップ４１と、演算部により、第１および第２のスペクトルデータのピーク強度を因子分解するステップ４４と、演算部により、第１のスペクトルデータおよび第２のスペクトルデータの間でスコアの大きさが異なる因子を抽出するステップ４５と、表示部により、抽出した因子に対応する第１および第２のスペクトルデータに基づく情報を表示するステップ４５とを備える。【選択図】図４
2020193901.tif 000002
【特許請求の範囲】
【請求項１】
演算部と表示部とを備えたコンピュータを用いて、疾病の指標となるマーカ物質の探索を支援する方法であって、
被検体において前記疾病に起因して病変した組織の病変領域から採取された第１のサンプルを質量分析して得られた第１のスペクトルデータを取得するステップと、
前記病変した組織の非病変領域から採取された第２のサンプルを質量分析して得られた第２のスペクトルデータを取得するステップと、
前記演算部により、前記第１および第２のスペクトルデータのピーク強度を因子分解するステップと、
前記演算部により、前記第１のスペクトルデータおよび前記第２のスペクトルデータの間でスコアの大きさが異なる因子を抽出するステップと、
前記表示部により、抽出した前記因子に対応する前記第１および第２のスペクトルデータに基づく情報を表示するステップとを備える、マーカ物質の探索支援方法。
【請求項２】
しきい値を取得するステップと、
前記演算部により、前記第１のスペクトルデータのスコアが前記しきい値より大きくなり、かつ、前記第２のスペクトルデータのスコアが前記しきい値より小さくなる因子を抽出するステップと、
前記演算部により、抽出した前記因子に対応する前記第１のスペクトルデータの質量電荷比を、前記マーカ物質の候補として抽出するステップと、
前記表示部により、抽出した前記マーカ物質の候補を表示するステップとをさらに備える、請求項１に記載のマーカ物質の探索支援方法。
【請求項３】
前記因子分解するステップは、
前記演算部により、前記第１および第２のスペクトルデータのピーク強度をピークにおける質量電荷比ごとに配列したピークマトリクスを生成するステップと、
前記演算部により、前記ピークマトリクスを独立成分分析するステップとを含む、請求項１または２に記載のマーカ物質の探索支援方法。
【請求項４】
前記第１のスペクトルデータを取得するステップは、複数の被検体の同一組織の病変領域からそれぞれ採取された複数の前記第１のサンプルを質量分析して得られた、複数の前記第１のスペクトルデータを取得し、
前記第２のスペクトルデータを取得するステップは、前記複数の被検体の前記同一組織の非病変領域からそれぞれ採取された複数の前記第２のサンプルを質量分析して得られた、複数の前記第２のスペクトルデータを取得し、
前記因子分解するステップは、前記複数の前記第１のスペクトルデータおよび前記複数の前記第２のスペクトルデータのピーク強度を因子分解し、
抽出した前記マーカ物質の候補が複数ある場合、前記演算部により、前記複数の第１のスペクトルデータを複数のサブタイプに分類するステップと、
前記表示部により、前記複数のサブタイプを表示するステップとをさらに備える、請求項２に記載のマーカ物質の探索支援方法。
【請求項５】
前記演算部により、各前記複数のサブタイプにそれぞれ対応するマーカ物質の候補を探索するステップと、
前記表示部により、各前記複数のサブタイプにそれぞれ対応するマーカ物質の候補を表示するステップとをさらに備える、請求項４に記載のマーカ物質の探索支援方法。
【請求項６】
前記因子分解するステップは、
前記演算部により、前記第１および第２のスペクトルデータのピーク強度をピークにおける質量電荷比ごとに配列したピークマトリクスを生成するステップと、
前記演算部により、前記ピークマトリクスを独立成分分析するステップとを含み、
前記分類するステップは、前記ピークマトリクスを、抽出した複数の前記マーカ物質の候補に対応する質量電荷比のみを含むようにダウンサイジングするステップと、
ダウンサイジングした前記ピークマトリクスを多変量解析することにより、前記複数の第１のスペクトルデータのクラスタ分割を行なうステップとを含む、請求項４に記載のマーカ物質の探索支援方法。
【請求項７】
前記第２のスペクトルデータを取得するステップは、前記第１のスペクトルデータと同日に同一の質量分析装置を用いて得られた前記第２のスペクトルデータを取得する、請求項１から６のいずれか１項に記載のマーカ物質の探索支援方法。
【請求項８】
前記複数のサブタイプにそれぞれ対応するマーカ物質の候補を探索するステップは、前記ピークマトリクスを多変量解析することにより、マーカ物質の候補のクラスタ分割を行なう、請求項５に記載のマーカ物質の探索支援方法。
【請求項９】
前記質量分析には、探針エレクトロスプレーイオン化質量分析計（ＰＥＳＩ−ＭＳ：Probe Electro Spray Ionization Mass Spectrometry)を用いる、請求項１〜８のいずれか１項に記載のマーカ物質の探索支援方法。
【請求項１０】
前記病変領域は、がんに罹患した領域であり、
前記病変領域のマーカ物質の候補は、がんのマーカ物質の候補に対応する、請求項２に記載のマーカ物質の探索支援方法。
【請求項１１】
前記ステップの少なくとも１つのステップの結果を、表およびグラフの少なくとも一方の形式で表示するステップをさらに備える、請求項１〜１０のいずれか１項に記載のマーカ物質の探索支援方法。
【請求項１２】
演算部と表示部とを備えたコンピュータを用いて、疾病の指標となるマーカ物質の探索を支援する方法であって、
被検者の前記疾病に起因して病変した組織の病変領域から採取された第１のサンプルを定量的に分析することにより、第１の定量的データを取得するステップと、
前記病変した組織の非病変領域から採取された第２のサンプルを定量的に分析することにより、第２の定量的データを取得するステップと、
前記演算部により、前記第１および第２の定量的データを因子分解するステップと、
前記演算部により、前記第１の定量的データおよび前記第２の定量的データの間でスコアの大きさが異なる因子を抽出するステップと、
前記表示部により、抽出した前記因子に対応する前記第１および第２の定量的データに基づく情報を表示するステップとを備える、マーカ物質の探索支援方法。
【請求項１３】
演算部と表示部とを備えたコンピュータを用いて、疾病の指標となるマーカ物質の探索を支援するためのプログラムであって、
被検体において前記疾病に起因して病変した組織の病変領域から採取された第１のサンプルを質量分析して得られた第１のスペクトルデータを取得するステップと、
前記病変した組織の非病変領域から採取された第２のサンプルを質量分析して得られた第２のスペクトルデータを取得するステップと、
前記第１および第２のスペクトルデータのピーク強度を因子分解するステップと、
前記第１のスペクトルデータおよび前記第２のスペクトルデータの間でスコアの大きさが異なる因子を抽出するステップと、
前記表示部により、抽出した前記因子に対応する前記第１および第２のスペクトルデータに基づく情報を表示するステップとを前記演算部に実行させる、マーカ物質の探索支援プログラム。
【請求項１４】
演算部と表示部とを備え、疾病の指標となるマーカ物質の探索を支援する装置であって、
第１のサンプルおよび第２のサンプルをそれぞれ質量分析して得られた第１のスペクトルデータおよび第２のスペクトルデータを取得する通信部と、
前記通信部により取得された前記第１のスペクトルデータおよび前記第２のスペクトルデータを解析する演算部とを備え、
前記第１のサンプルは、被検体において前記疾病に起因して病変した組織の病変領域から採取されたサンプルであり、前記第２のサンプルは、前記病変した組織の非病変領域から採取されたサンプルであり、
前記演算部は、
前記第１および第２のスペクトルデータのピーク強度を因子分解し、
前記第１のスペクトルデータおよび前記第２のスペクトルデータの間でスコアの大きさが異なる因子を抽出し、
前記表示部により、抽出した前記因子に対応する前記第１および第２のスペクトルデータに基づく情報を表示する、マーカ物質の探索支援装置。
【発明の詳細な説明】
【技術分野】
【０００１】
本発明は、マーカ物質の探索支援方法、探索支援プログラムおよび探索支援装置に関する。
【背景技術】
【０００２】
病院等の臨床および研究の現場では、がん等の疾患患者から疾患に罹患した組織等の生体試料（以下、サンプルとも称する）を採取し、質量分析装置またはＤＮＡマイクロアレイ等の分析装置を用いてサンプル内のタンパク質、脂質、核酸等の物質の定量的データを取得し、当該データを適切に解析することにより診断および／または治療に役立てることが望まれている。
【０００３】
たとえば、特開２０１４−４４１１０号公報（特許文献１）には、探針エレクトロスプレーイオン化質量分析計（ＰＥＳＩ−ＭＳ：Probe Electro  Spray  Ionization  Mass  Spectrometry)を用いて、被検者から採取した生体組織である試料をイオン化し、そのイオンを質量分析して得られたマススペクトルデータに対し、統計的機械学習の手法を適用することで、当該試料ががんである確率を求めるデータ解析手段が開示されている。
【０００４】
マススペクトルデータの横軸は質量電荷比（ｍ／ｚ）、縦軸は信号強度で表される。ｍ／ｚは分子種の違いを表し、そのｍ／ｚに現れるピークの信号強度はその分子の量を表す。マススペクトルデータは試料にその分子種がどれくらい含まれているかの一覧になっている。
【先行技術文献】
【特許文献】
【０００５】
【特許文献１】特開２０１４−４４１１０号公報
【発明の概要】
【発明が解決しようとする課題】
【０００６】
このような生体試料の分析装置を用いて疾患に罹患したサンプルの定量的データを大量に収集し、収集した定量的データを解析することにより、疾患に罹患した組織に特異的に増加または減少する物質であるマーカを見つけることができれば、このマーカを用いて疾患の有無を診断することが可能となる。さらに、マーカの詳細を調べることで、その疾患の機序の解明または創薬に繋げることができる。
【０００７】
しかしながら、定量的データには分析装置個体の違いによる差である機差、測定日時の違いまたはサンプルを取得した日時からの日数の違いによる差である日間差、および、被検者の違いによる差である個人差などが含まれている。そのため、信頼性のある疾患マーカを見つけることが難しいという課題がある。
【０００８】
加えて、疾患のサブタイプとそのマーカの探索の支援を目的として定量的データを統計解析によりいくつかの集団に分けたいとする。このとき、定量的データには機差、日間差等の構造も含まれるため、疾患サブタイプ構造とそのマーカのみを取り出すことが難しいという課題がある。
【０００９】
この発明は、かかる課題を解決するためになされたものであり、その目的は、生体試料の分析装置から得られた定量的データを基に、疾患のマーカ物質の探索を支援するマーカ物質の探索支援方法、探索支援プログラムおよび探索支援装置を提供することである。
【課題を解決するための手段】
【００１０】
この発明のある局面に従う疾患のマーカ物質の探索支援方法は、演算部と表示部とを備えたコンピュータを用いて、疾病の指標となるマーカ物質の探索を支援する方法であって、被検体において疾病に起因して病変した組織の病変領域から採取された第１のサンプルを質量分析して得られた第１のスペクトルデータを取得するステップと、病変した組織の非病変領域から採取された第２のサンプルを質量分析して得られた第２のスペクトルデータを取得するステップと、演算部により、第１および第２のスペクトルデータのピーク強度を因子分解するステップと、演算部により、第１のスペクトルデータおよび第２のスペクトルデータの間でスコアの大きさが異なる因子を抽出するステップと、表示部により、抽出した因子に対応する第１および第２のスペクトルデータに基づく情報を表示するステップとを備える。
【発明の効果】
【００１１】
本発明によれば、生体試料の分析装置から得られた定量的データを基に、疾患のマーカ物質の探索を支援するマーカ物質の探索支援方法、探索支援プログラムおよび探索支援装置を提供することができる。
【図面の簡単な説明】
【００１２】
【図１】本発明の実施の形態に係るデータ解析システムの構成を示す概略図である。
【図２】コンピュータおよび解析装置のハードウェア構成を示す概略図である。
【図３】独立成分分析によって得られた独立成分の係数の分布の一例を示す図である。
【図４】データ解析の概要を説明するフローチャートである。
【図５】解析対象となるデータの絞り込みを説明する図である。
【図６】ピークマトリクスの整形を説明する図である。
【図７】独立成分スコアの分布の第１の例を示す図である。
【図８】独立成分スコアの分布の第２の例を示す図である。
【図９】独立成分スコアの分布の第３の例を示す図である。
【図１０】複数の独立成分に対する独立成分スコアの例を説明するための図である。
【図１１】ＨＣＡによるクラスタ分割の例を示すための図である。
【図１２】２次元ＨＣＡによるクラスタ分割の例を示すための図である。
【発明を実施するための形態】
【００１３】
以下に、本発明の実施の形態について図面を参照して詳細に説明する。なお、以下では図中の同一または相当部分には同一の符号を付して、その説明は原則的に繰返さないものとする。
【００１４】
［データ解析システムの構成］
図１は、本発明の実施の形態に係る解析装置を備えるデータ解析システム１００の構成を示す概略図である。本実施の形態に従うデータ解析システム１００は、臨床検査において、患者の生体試料を解析する装置の一例として、探針エレクトロスプレーイオン化質量分析計（ＰＥＳＩ−ＭＳ：Probe  Electro  Spray  Ionization  Mass  Spectrometry)を有する。
【００１５】
図１を参照して、データ解析システム１００は、装置本体５０、コンピュータ２０、解析装置７０、入力機器２１，７１およびディスプレイ２２，７２を備える。装置本体５０は、ＰＥＳＩ−ＭＳである。装置本体５０は、イオン化部５０Ａと、質量分析部５０Ｂとを備える。
【００１６】
装置本体５０は、コンピュータ２０の制御下で、イオン化部５０Ａにおいて試料９の一部９ａをイオン化し、質量分析部５０Ｂにおいて当該イオン化した試料の質量分析を行なう。
【００１７】
イオン化部５０Ａは、イオン化室１、試料ステージ８、探針１０、溶媒容器５、ポンプ６、ノズル７、高電圧発生部１１、Ｚ方向駆動部１２およびＸ−Ｙ方向駆動部１３を備える。
【００１８】
イオン化室１は略大気圧に維持される。イオン化室１内には、試料９を保持する試料ステージ８と、試料ステージ８上の空間に配置された導電性の探針１０と、所定位置にある探針１０の先端付近に溶媒を噴射するノズル７とが配置されている。
【００１９】
探針１０は、モータ、減速機構およびアクチュエータ等を含むＺ方向駆動部１２により、図中のＺ軸方向に移動可能である。また、探針１０は、高電圧発生部１１から最大で数ｋＶ程度の高電圧を印加可能である。
【００２０】
一方、試料ステージ８は、モータおよび減速機構等を含むＸ−Ｙ方向駆動部１３により、図中のＸ軸方向およびＹ軸方向に移動可能である。これにより、探針１０がＺ方向に降下したときに、探針１０の先端が接触する試料９表面上の位置がＸ−Ｙ平面内で任意に移動可能である。
【００２１】
溶媒容器５中には、水、アルコール類、アセトニトリル等の所定の溶媒が貯留される。該溶媒は、ポンプ６が作動すると、該ポンプ６により略一定流量で溶媒容器５中から吸引され、ノズル７から微細液的として噴射される。
【００２２】
イオン化部５０Ａは、以上のような構成により、試料９をイオン化する。具体的には、試料ステージ８上の試料に探針１０をわずかに接触させる。これにより、探針１０の先端には試料９の一部９ａが付着する。その後、探針１０に高電圧発生部１１により所定の高電圧が印加されると、捕捉されている試料９ａ中に大きな電場が作用し、クーロン斥力等により試料９ａは電荷を有しながら離脱する（すなわち、エレクトロスプレーされる）。その過程で試料分子がイオン化される。こうしたイオン化に際してノズル７からの溶媒の噴射は必須ではないが、当該噴射により、試料９ａの湿り気を保持することで良好にイオン化することができる等の利点がある。
【００２３】
なお、本実施の形態では、イオン化室１での試料のイオン化にエレクトロスプレーイオン化法を用いる構成を示したが、大気圧化学イオン化法など他の大気圧イオン化法を用いてイオン化を行なっても良い。
【００２４】
質量分析部５０Ｂは、中間真空室２，３、分析室４および電圧発生部３０を備える。質量分析部５０Ｂは、大気圧に維持されるイオン化室１と高真空度の下でイオンの質量分離および検出を行なう分析室４との間に、段階的に真空度が高められた中間真空室２，３が備えられた差動排気系の構成となっている。なお、中間真空室が３つ以上であってもよい。
【００２５】
イオン化室１と第１中間真空室２とは、細径の脱溶媒管１４を通して連通している。脱溶媒管１４の両端開口の圧力差によって、イオン化室１内のイオンを含むガスは、脱溶媒管１４を通して第１中間真空室２内へと引き込まれる。
【００２６】
第１中間真空室２内には、第１イオンガイド１５が設置される。第１イオンガイド１５は、イオン光軸Ｃに直交する方向に配列された複数枚の円盤状の電極板で構成される。イオンはこの第１イオンガイド１５で収束される。
【００２７】
第１中間真空室２と第２中間真空室３とは、スキマー１６の頂部に形成された小径の通過孔（オリフィス）を通して連通している。上記収束されたイオンは当該オリフィスを通過する。
【００２８】
第２中間真空室３内には、第２イオンガイド１７が設置されている。第２イオンガイド１７は、イオン光軸Ｃに沿って配置されたロッド電極から構成される、イオンは第２イオンガイド１７により収束されて分析室４に送り込まれる。
【００２９】
分析室４内には、４本（図１では２本のみ図示）のロッド電極から構成される四重極マスフィルタ１８と、到達したイオンの数（量）に応じた信号を出力するイオン検出器１９とが配置されている。
【００３０】
電圧発生部３０は、質量分析部５０Ｂの各部に所定の電圧を印加する。
質量分析部５０Ｂは、以上のような構成により、試料９のマススペクトルデータを生成する。具体的には、分析室４内の四重極マスフィルタ１８には電圧発生部３０から所定の電圧が印加され、その電圧に応じた質量電荷比（ｍ／ｚ値）を有するイオンのみが四重極マスフィルタ１８の長軸方向の空間を通り抜け、それ以外の質量電荷比のイオンは途中で発散する。電圧発生部３０から四重極マスフィルタ１８に印加される電圧が所定の範囲で走査されると、その走査に従って四重極マスフィルタ１８を通過しうるイオンの質量電荷比は所定の範囲で走査される。したがって、イオン検出器１９に到達するイオンの強度を時間経過に伴って測定することで、所定の質量範囲のイオン強度情報、すなわちマススペクトルデータを得ることができる。
【００３１】
コンピュータ２０は、演算処理部であるＣＰＵ（Central  Processing  Unit）を主体として構成される。コンピュータ２０は、例えばパーソナルコンピュータなどの情報処理装置である。
【００３２】
コンピュータ２０は、イオン検出器１９による検出信号を受信し、例えばマススペクトルの作成等の各種のデータ処理を実行する。コンピュータ２０は、試料９に対する質量分析を実行するために、イオン化部５０Ａおよび質量分析部５０Ｂの各部の動作を制御する。コンピュータ２０には、入力機器２１およびディスプレイ２２が接続される。コンピュータ２０は、入力機器２１に対する分析者の操作を受けて、コンピュータ２０によるデータ処理の結果をディスプレイ２２に出力する。
【００３３】
解析装置７０は、演算処理部であるＣＰＵを主体として構成される。解析装置７０は、例えばパーソナルコンピュータなどの情報処理装置である。解析装置７０は、コンピュータ２０と有線または無線で接続され、コンピュータ２０からマススペクトルデータを受信する。解析装置７０は、コンピュータ２０から受信したマススペクトルデータに対し、さらなるデータ解析を行なう。解析装置７０には、入力機器７１およびディスプレイ７２が接続される。解析装置７０は、入力機器７１に対する分析者の操作を受けて、解析装置７０によるデータ解析の結果をディスプレイ７２に出力する。ディスプレイ７２は、「表示部」の一実施例に対応する。
【００３４】
図１では、解析装置７０と通信するコンピュータ２０が１台だけ図示されているが、これに限定されず、解析装置７０は複数台のコンピュータ２０と通信してもよい。また、たとえば、コンピュータ２０中のマススペクトルデータのファイルを、ＵＳＢメモリ等の記録媒体を介して、解析装置７０に移すように構成してもよい。このように構成すると、解析装置７０は、複数の装置本体５０によるマススペクトルデータを解析することが容易となる。すなわち、解析装置７０において、複数の装置本体５０で測定された多くの患者のマススペクトルデータを解析することが容易となる。このような構成は、多くのがん患者においてがんに罹患することにより量が変動する物質、すなわち、がんマーカの探索を支援する上で好ましい。
【００３５】
図２は、コンピュータ２０および解析装置７０のハードウェア構成を示す概略図である。図２を参照して、コンピュータ２０は、ＣＰＵ２８と、メモリ２９と、入力インターフェイス（以下、入力Ｉ／Ｆとも称する）２５と、表示コントローラ２６と、通信インターフェイス（以下、通信Ｉ／Ｆとも称する）２７とを備える。
【００３６】
コンピュータ２０は、メモリ２９に格納されるプログラムに従って動作するように構成される。メモリ２９は、図示しないＲＯＭ（Read  Only  Memory）、ＲＡＭ（Random  Access  Memory）およびＨＤＤ（Hard  Disk  Drive）を含む。
【００３７】
ＲＯＭは、ＣＰＵ２８にて実行されるプログラムを格納することができる。ＲＡＭは、ＣＰＵ２８におけるプログラムの実行中に利用されるデータを一時的に格納することができ、作業領域として利用される一時的なデータメモリとして機能することができる。ＨＤＤは、不揮発性の記憶装置であり、装置本体５０による測定データおよびコンピュータ２０による分析結果等、コンピュータ２０で生成された情報を格納することができる。ＨＤＤに加えて、あるいは、ＨＤＤに代えて、フラッシュメモリなどの半導体記憶装置を採用してもよい。
【００３８】
ＣＰＵ２８は、装置本体５０を制御する。ＣＰＵ２８は、メモリ２９のＲＯＭに格納されているプログラムをＲＡＭ等に展開して実行する。
【００３９】
入力機器２１は入力Ｉ／Ｆ２５に接続される。入力Ｉ／Ｆ２５は、コンピュータ２０が入力機器２１と通信するためのインターフェイスであり、入力機器２１から各種信号を受信する。
【００４０】
表示コントローラ２６は、ディスプレイ２２に接続される。表示コントローラ２６はディスプレイ２２に、ディスプレイ２２の表示内容を示す信号を出力する。ディスプレイ２２がタッチパネルを備えるディスプレイである場合、入力Ｉ／Ｆ２５はタッチパネルから、ディスプレイ２２への分析者のタッチ操作を示す信号を受信する。
【００４１】
通信Ｉ／Ｆ２７には、装置本体５０および解析装置７０が接続される。通信Ｉ／Ｆ２７は、コンピュータ２０が装置本体５０および解析装置７０と通信するためのインターフェイスであり、装置本体５０および解析装置７０との各々の間で各種信号を入出力する。
【００４２】
解析装置７０は、ＣＰＵ７３と、メモリ７９と、入力Ｉ／Ｆ７５と、表示コントローラ７６と、通信Ｉ／Ｆ７７とを備える。解析装置７０は、メモリ７９に格納されるプログラムに従って動作するように構成される。
【００４３】
メモリ７９は、図示しないＲＯＭ、ＲＡＭおよびＨＤＤを含む。ＲＯＭは、ＣＰＵ７３にて実行されるプログラムを格納することができる。ＲＡＭは、ＣＰＵ７３におけるプログラムの実行中に利用されるデータを一時的に格納することができ、作業領域として利用される一時的なデータメモリとして機能することができる。ＨＤＤは、不揮発性の記憶装置であり、コンピュータ２０から受信した情報、解析装置７０で生成された情報を格納することができる。ＨＤＤに加えて、あるいは、ＨＤＤに代えて、フラッシュメモリなどの半導体記憶装置を採用してもよい。
【００４４】
ＣＰＵ７３は、メモリ７９のＲＯＭに格納されているプログラムをＲＡＭ等に展開して実行する。ＣＰＵ７３は「演算部」の一実施例に対応する。
【００４５】
入力機器７１は入力Ｉ／Ｆ７５に接続される。入力Ｉ／Ｆ７５は、解析装置７０が入力機器７１と通信するためのインターフェイスであり、入力機器７１から各種信号を受信する。
【００４６】
表示コントローラ７６は、ディスプレイ７２に接続される。表示コントローラ７６はディスプレイ７２に、ディスプレイ７２の表示内容を示す信号を出力する。ディスプレイ７２がタッチパネルを備えるディスプレイである場合、入力Ｉ／Ｆ７５はタッチパネルから、ディスプレイ２２への分析者のタッチ操作を示す信号を受信する。
【００４７】
通信Ｉ／Ｆ７７には、コンピュータ２０が接続される。通信Ｉ／Ｆ７７は、解析装置７０がコンピュータ２０と通信するためのインターフェイスであり、コンピュータ２０との間で各種信号を入出力する。通信Ｉ／Ｆ７７は「通信部」の一実施例に対応する。
【００４８】
よって、解析装置７０は「マーカ物質探索支援装置」の一実施例に対応する。解析装置７０、ディスプレイ７２および入力機器７１をまとめて装置８０と呼ぶと、装置８０は「コンピュータ」の一実施例に対応する。
【００４９】
［データ解析装置を用いた疾患の診断］
臨床機関および研究機関においては、このようなデータ解析システムを用いて、がん等に罹患した患者の組織等の生体試料（以下、サンプルとも称する）を解析することで、当該疾患の診断および／または治療に役立てることが望まれている。
【００５０】
具体的には、疾患にかかった組織においては、健常な組織に比べて、組織内の各物質の量のバランスが変化し、特異的に増加または減少する物質が発現すると考えられる。ここで、物質とは、例えば核酸、タンパク質、脂質等の分子を指す。また、疾患特異的にその量が増加または減少し、当該量の変化が疾患の指標となる物質は疾患の「マーカ物質」あるいは単に「マーカ」とも呼ばれる。なお、本明細書において、マーカ物質と「マーカ」は同義で用いられる。ゆえに、がん等の疾患に対するマーカを明らかにすれば、被検者の組織から採取したサンプルに含まれる当該物質の量を確認することで、当該組織が疾患に罹患したか否かを診断する助けとなる。そのため、マーカの探索およびその支援は重要である。
【００５１】
そこで、本実施の形態に係るデータ解析システム１００では、同一組織の疾患に罹患した領域および疾患に罹患していない領域の各々からサンプルを採取し、これら２種類のサンプルを質量分析して得られたスペクトルデータに対して統計解析を行なう。このことにより、疾患に罹患した領域で量が多い、または、少ない物質の質量電荷比を明らかにする。換言すると、データ解析システム１００は、生体試料の質量分析により得られた定量的データを基に、疾患のマーカ候補の探索を支援することができる。
【００５２】
具体的には、データ解析システム１００では、疾患患者のサンプルを質量分析して得られたスペクトルデータの各ピークについて、独立成分分析を行なうことで、疾患特異的に存在量が変化する物質の探索を支援する。以下に、本実施の形態に従うデータ解析システム１００におけるデータ解析方法の概念を説明する。なお、本実施の形態においては、疾患の一つとしてがんを例に説明する。
【００５３】
［データ解析方法の概念］
質量分析により得られるスペクトルデータにおいて、１つのピークは端的には質量電荷比とそのピーク強度で規定される。ピーク強度は、対応する質量電荷比の物質の量を示す。生体組織内の物質は、例えば、脂質、核酸、タンパク質、糖等に分けられ、これらは異なる組成、性質および機能を有する。本実施の測定プロトコルでは細胞由来の脂質が主に測定される。
【００５４】
一方、ある患者のある組織における物質の量は、当該患者および組織の様々な要素を反映すると考えられる。当該患者および組織の様々な要素とは、例えば、（１）患者の性別、年齢、生活習慣等の違い等のいわゆる個人差と呼ばれるもの、（２）組織ががんに罹患しているか否かによる差等である。これらデータに付属する条件を以下、「クラス」とも称する。
【００５５】
端的に考えると、ある物質について、同一患者の同一種類の組織において、がんに罹患した領域（以下、「がん領域」とも称する）における物質の量と、がんに罹患していない領域（以下、「非がん領域」とも称する）における物質の量との間には、理想的には、上記（１）の要素による差がなくなり、（２）の要素による差のみが存在することになる。したがって、がん領域および非がん領域の間でその量に差がある物質は、がんマーカの候補であるといえる。
【００５６】
しかし、一方では、当該物質の量の差は、必ずがんの有無が原因であるとは言い切れない。例えば、患者特有の遺伝的要因により、当該物質の量が変動しやすくなっている可能性もある。また、単に確率的に値が変動している（いわゆるノイズ）だけで、生物学的には意味がない可能性もある。
【００５７】
一方で、発見が所望されるマーカ候補は、万人、もしくは多くの患者のがん組織に共通して量が変化する物質である。ゆえに、１人の患者では無く、多くの患者の同一の組織において、がん領域および非がん領域の各々からサンプルを採取し、両サンプルを比較することが有効である。当該比較により、多くの患者においてがんに罹患したか否かでその量に差がある物質を抽出すれば、上記の個人差、確率的な変動等のノイズをキャンセルできると考えられる。換言すれば、多くの患者のがんに罹患した組織において、がん領域と非がん領域とでその量が異なる物質を見いだせば、マーカ候補とすることができる。以下、がん領域から採取したサンプルを「がんサンプル」、非がん領域から採取したサンプルを「非がんサンプル」とも称する。
【００５８】
さらに、それぞれの種類のがん（例えば、肝臓がん、腎臓がん等）には、いくつかのサブタイプがあることが明らかになっている。がん種だけでなくそのサブタイプまでを特定し、そのサブタイプに応じた薬剤の選定、および、治療方針の決定を行なうことが、個別化医療の観点からは望ましい。そのためには、そのがん種におけるサブタイプおよび各サブタイプのマーカの特定を行なう必要がある。
【００５９】
しかしながら、また、ＰＥＳＩ−ＭＳ、その他の質量分析装置等の微量の物質を検出する分析装置は、その検出強度において、装置個体による差（機差）、および、同一装置においても測定日による差（日間差）が生じうることが知られている。具体的な機差の例としては、ある装置個体で測定したマススペクトルは、高ｍ／ｚ側のピークの信号強度が他の装置個体で測定したマススペクトルに比べて全体的に高い、または、低いことがある。日間差の例としては、試料を採取してから時間を経るに伴い、試料中の特定の分子が分解され、その分子由来のピークが試料を採取してからの日数に基づいて異なる強度を示す場合がある。また、日間差の他の例としては、装置を長期間にわたって使用することにより、検出器が汚染され、ピーク強度が影響を受ける場合もある。またこれらのクラスの「差」に対して影響を受けるピークは、必ずしもクラス毎に異なるわけではない。すなわち、複数のクラスの「差」に影響を受けるピークもある。たとえば、疾患の有無による差を表すピークが機差および／または日間差の影響も受けるピークである場合は、疾患の有無によるピーク強度への影響が、機差および／または日間差のピーク強度への影響に打ち消される可能性もある。そのため、機差および日間差等他のクラスの影響を考慮せずに、単にがん／非がんのクラスのみに着目し、クラス間で強度に有意差があるピークを探索するというアプローチではマーカを見つけることができない可能性がある。そのため、がん領域と非がん領域とを比較し、がんに起因する物質の存在量の変化を明らかにする上では、がん領域から採取したサンプルと非がん領域から採取したサンプルとの間で機差および日間差が無いことが望ましい。すなわち、同一患者の同一組織において採取されたがんサンプルおよび非がんサンプルを、同一装置により、同一日に測定したスペクトルデータを比較することが好ましい。
【００６０】
よって、本実施の形態では、まず装置本体５０およびコンピュータ２０により得られた複数のスペクトルデータを、非がん／がんのクラスのみが異なり、機差、日間差、個人差などは同一である２つのデータ群に分離する。次に、当該２つのデータ群を因子分解することで、がん／非がんのクラスにより量が変化する物質の探索を支援する。本実施の形態では、当該因子分解には、独立成分分析（ＩＣＡ：independent  component  analysis）が用いられる。
【００６１】
独立成分分析は、多変量の信号を複数の加法的な成分に分離するための計算手法である。典型的なＩＣＡの応用として、複数の人間の会話を複数のマイクで録音し、当該録音データを基に特定の人物の声を抜き出す音源分離がある。以下に、ＩＣＡを用いて疾患の有無により量が変化する物質（すなわちがんマーカ候補）の探索を支援する方法の概念を説明する。
【００６２】
簡単な例として、まずは２人の話者の音声信号の分離を考える。具体的には、２人の話者が同時に発話し、その混合音声信号を２つのマイクで収音する場合を考える。そして、２つのマイクで各々収音された２つの混合音声信号のデータ（音声データ）を統計学的に分離することで、２人の音声を復元することを考える。
【００６３】
２人の話者の元の音声信号を各々ベクトルｓ１，ｓ２とし、収音された２つの音声データをベクトルｘ１，ｘ２とする。ｘ１，ｘ２は、ｘ１とｓ２がそれぞれある強さでたし合わされたものと考えることができるので、係数ａ１１，ａ１２，ａ２１，ａ２２を使って、下記（１），（２）式で表せる。なお、各係数は、収音された各音声データに含まれる、元の各音声信号の強さを表す。
【００６４】
ｘ１＝ａ１１・ｓ１＋ａ１２・ｓ２      （１）
ｘ２＝ａ２１・ｓ１＋ａ２２・ｓ２      （２）
ここで、行列により、ｘ１，ｘ２を下記（３）式で、ｓ１，ｓ２を下記（４）式で、係数ａ１１，ａ１２，ａ２１，ａ２２を下記（５）式でそれぞれまとめるとする。
2020193901.tif 000003
【００６５】
2020193901.tif 000004
【００６６】
2020193901.tif 000005
【００６７】
この場合、上記（１），（２）式は下記（６）式にまとめることができる。
ｘ＝Ａｓ      （６）
ここで、Ａの逆行列をＷ、Ｗとｘを基に推定される独立成分をｙとすると、ｙは下記（７）式で表される。独立成分分析は、この定式化により、Ｗ，ｙを推定する問題である。
【００６８】
ｙ＝Ｗｘ      （７）
具体的には、分離信号ｙが互いに独立になるようにｘを用いて最適化の枠組みでＷを推定する。当該最適化は、例えば、各種のソルバーを利用して行なわれる。
【００６９】
独立成分分析において、求める独立成分の数は分析者が妥当な数を指定する。また収音された音声データのベクトルの数（上記の例では収音マイクの数に相当）は、独立成分の数（上記の例では話者の数に相当）以上である必要がある。なお、独立成分分析についての詳細は公知であるので、これ以上の説明は省略する。
【００７０】
今回の実施例に、この独立成分分析を適用する。図６の下段のデータが上記の例の行列ｘに相当する。すなわち、あるｍ／ｚに対する行（横方向）のベクトルが１つのマイクにより収音された混合音声データに相当する。ここで、図６の下段のデータの横方向の強度の変動を考える。この変動には、サブタイプ差、機差、日間差等が由来の変動が混合して含まれる。
【００７１】
ここで、独立成分分析の結果、複数の独立成分ｙが得られ、そのうちの１つとして、下記（８）式で表される独立成分ｙ１が得られたとする。なお、ｎを自然数とすると、この式での（ｍ／ｚｎ；非がん）とは図６の非がんデータのｍ／ｚｎの横方向のベクトルを表す。また、（ｍ／ｚｎ；非がん）ベクトルの係数をα１ｎと表す。一方、（ｍ／ｚｎ；がん）とは図６のがんデータのｍ／ｚｎの横方向のベクトルを表す。また、（ｍ／ｚｎ；がん）ベクトルの係数をα１ｎ’と表す。また、以下、（ｍ／ｚｎ；非がん）ベクトルおよび（ｍ／ｚｎ；がん）ベクトルをｍ／ｚベクトルと総称する。また、以下、（ｍ／ｚｎ；非がん）ベクトルの係数をα、（ｍ／ｚｎ；がん）ベクトルの係数をα’と総称する。
【００７２】
ｙ１＝α１１・（ｍ／ｚ１；非がん）＋α１１’・（ｍ／ｚ１；がん）
＋α１２・（ｍ／ｚ２；非がん）＋α１２’・（ｍ／ｚ２；がん）＋・・・  （８）
（８）式において、あるｍ／ｚベクトルの係数が他のｍ／ｚベクトルの係数より大きい場合、独立成分ｙ１において当該ｍ／ｚベクトルは他のベクトルよりも強く含まれていると考えられる。
【００７３】
よって、（ｍ／ｚｎ；非がん）ベクトルの係数α１ｎと、（ｍ／ｚｎ；がん）ベクトルの係数α１ｎ’とが、同程度である場合、独立成分ｙ１において、当該（ｍ／ｚｎ；非がん）ベクトルと（ｍ／ｚｎ；がん）ベクトルとが同程度の強さで含まれていると考えられる。
【００７４】
一方、（ｍ／ｚｎ；がん）ベクトルの係数α１ｎ’が、（ｍ／ｚｎ；非がん）ベクトルの係数α１ｎを含む他のｍ／ｚベクトルの係数より大きい場合を考える。この場合、独立成分ｙ１において、（ｍ／ｚｎ；がん）ベクトルが、（ｍ／ｚｎ；非がん）ベクトルを含む他のｍ／ｚベクトルより強く含まれていると考えられる。非がんデータとがんデータに含まれる疾患の有無以外の機差や日間差と言った構造が同程度であるとすると、この独立成分ｙ１はがんデータに特有の構造を反映していると考えられる。また、独立成分ｙ１において、他の係数より大きいα１ｎ’に対応するｍ／ｚが示す物質は、がんおよびがんのサブタイプのマーカ物質の候補である。
【００７５】
以上を図示すると、図３のようになる。図３では、独立成分ｙ１に対するｍ／ｚ＝Ｍ０に対応する（ｍ／ｚｎ；非がん）ベクトルの係数α１ｎおよび（ｍ／ｚｎ；がん）ベクトルの係数α１ｎ’の分布が示される。図３において、横軸は物質の質量電荷比ｍ／ｚを示し、縦軸は係数の大きさを示す。図中のデータ点については、本明細書を通じて、黒丸はがんサンプルを示し、十字は非がんサンプルを示す。
【００７６】
図３左図のように、係数α１ｎ≒α１ｎ’である場合、この独立成分ｙ１におけるｍ／ｚ＝Ｍ０の強さは非がんサンプルでもがんサンプルでも変わらないことを示している。
【００７７】
一方、図３の右図のように、α１ｎ＜α１ｎ’である場合、この独立成分ｙ１におけるｍ／ｚ＝Ｍ０の強さはがんサンプルで強くなることを示している。ここで、このα１ｎ’の値が他のｍ／ｚベクトルの係数に比べて十分に大きければ、この独立成分ｙ１はがんデータに特異的に含まれ、ｍ／ｚ＝Ｍ０ががんおよびがんのサブタイプのマーカ候補であると考えられる。
【００７８】
以上の例では、簡単のために１つの独立成分ｙ１に対する、１つの質量電荷比Ｍ０に対応する１つの物質についての結果のみを示した。実際には、独立成分分析により、複数の質量電荷比にそれぞれ対応する複数の物質の量に対し、一度に複数の独立成分ｙおよびその係数αおよびα’が算出される。以下、本明細書においては、係数αおよびα’を独立成分スコアとも称する。
【００７９】
以上のように、多数の患者のサンプルから得られた、がん／非がんのクラスのみが異なる複数のスペクトルデータを独立成分分析し、がんに罹患しているか否かで独立成分スコアαが二極化するｍ／ｚ値を検出できれば、当該ｍ／ｚ値に対応する物質はがんマーカ候補であるといえる。
【００８０】
十分な数の独立成分を仮定して、このようながんデータでのみ独立成分スコアが大きい独立成分に着目することで、マーカ候補を抽出することができる。このアプローチによると、上述したような、複数のクラスに差があるサンプルが混在することにより、がん／非がんのクラス間のピーク強度の差が一見しただけでは分からない場合も、マーカの探索を支援することができる。
【００８１】
よって、本実施の形態においては、ＰＥＳＩ−ＭＳで検出したスペクトルデータにおいて検出された複数のピークについて独立成分分析を行ない、その中でがんに罹患しているか否かで独立成分係数αが二極化するピークを探索する。換言すると、ＰＥＳＩ−ＭＳで検出された複数の物質について、その量を独立成分分析することで、がんに罹患しているか否かで量が変わる物質の探索を支援する。これにより、信頼性の高いがんマーカ候補を網羅的に探索することの支援が可能となる。以下に具体的なデータ解析方法を説明する。
【００８２】
［データ解析方法］
図４は、データ解析の処理の流れを説明するフローチャートである。図４のフローチャートは、解析装置７０のＣＰＵ７３によって実行される。また、図４のフローチャートは、がんサンプルのスペクトルデータおよび非がんサンプルのスペクトルデータに対して実行される。図４のフローチャートは、「マーカ物質の探索支援方法」および「マーカ物質の探索支援プログラム」の一実施例に対応する。
【００８３】
ステップ４１において、ＣＰＵ７３は、装置本体５０およびコンピュータ２０により取得された、がんサンプルおよび非がんサンプルのスペクトルデータを取得する。
【００８４】
ステップ４２において、ＣＰＵ７３は、複数のスペクトルデータの各々について、複数のピークを検出し、各ピークに対応する質量電荷比およびピーク強度を検出する。さらに、ＣＰＵ７３は、サンプル毎の質量電荷比に対するピーク強度のマトリクスを作成する。当該マトリクスを「ピークマトリクス」とも称し、ピークマトリクスを作成することを「ピークマトリクス化」とも称する。
【００８５】
ステップ４３において、ＣＰＵ７３は、ピークマトリクスを独立変数分析に適した形に整形する（後に詳しく説明する）。
【００８６】
ステップ４４において、ＣＰＵ７３は、ピークマトリクスに対し、独立成分分析を行なう。
【００８７】
ステップ４５において、ＣＰＵ７３は、独立成分分析の結果および所定のしきい値に基づいて、がんか非がんかで量が変化する物質、すなわち、がんマーカ候補を抽出する。さらに、ＣＰＵ７３は、抽出したがんマーカ候補に関連する情報を表示する。
【００８８】
ステップ４６において、ＣＰＵ７３は、独立成分分析の結果に基づいて、ピークマトリクスをがんのマーカ候補に関するものだけにするダウンサイジングを行なう。
【００８９】
ステップ４７において、ＣＰＵ７３は、がんのサブタイプおよびがんのサブタイプのマーカ候補を抽出する。さらに、ＣＰＵ７３は、抽出したがんのサブタイプおよびがんのサブタイプのマーカ候補に関連する情報を表示する。なお、がんのサブタイプとは、がんをその性質についてさらに細分化したものである。がんのサブタイプ、がんのサブタイプおよびそのマーカ候補を抽出する意義、具体的な抽出方法については後述する。なお、図４に示したデータ解析方法は、各ステップの少なくとも１つのステップの結果を、表およびグラフの少なくとも一方の形式で表示するステップをさらに備えてよい。このように構成すると、当該ステップに対応する処理の結果を、分析者が理解することの助けになる。
【００９０】
また、ステップ４１〜４７を行なうのは、解析装置７０のＣＰＵ７３に限定されず、例えば、コンピュータ２０のＣＰＵ２３であってもよい。
【００９１】
次に各ステップについて、詳細に説明する。
［スペクトルマトリクスの生成および整形］
まず、解析装置７０は、複数の臨床および研究の現場の各々に設置される装置本体５０およびコンピュータ２０で得られたスペクトルデータを収集し、スペクトルデータの絞り込みを行なう。
【００９２】
図５は、解析対象となるスペクトルデータの絞り込みを説明する図である。図５には各スペクトルデータに関する条件（クラス）が表形式にまとめられている。例えば、スペクトルデータのＩＤであるデータＩＤ、がんサンプルであるか非がんサンプルであるか、サンプルが採取された臓器（組織）、サンプルが採取された患者のＩＤ、性別、年齢、サンプルのスペクトルデータが測定された日時、サンプルの測定に使用された装置本体５０のＩＤなどが含まれている。以下に各クラスについて、適宜詳細に説明する。
【００９３】
上述したように、がんサンプルはがん領域から採取したサンプルであり、非がんサンプルは非がん領域から採取したサンプルである。がんサンプルおよび非がんサンプルが、同一患者の同一組織におけるがん領域および非がん領域からそれぞれ採取されたものであれば、がんサンプルの分析結果と非がんサンプルの分析結果とを比較すると、がんに起因する変化を抽出できる。すなわち、非がんサンプルは、がんサンプルの分析結果を検証するための比較対象であり、いわゆるコントロールである。
【００９４】
本実施の形態では、がんサンプルのスペクトルデータと非がんサンプルのスペクトルデータとを対比して、がんサンプルおよび非がんサンプルの間で量が異なる物質を探索する。そのために、がんサンプルか非がんサンプルかのみが異なり、個人差、組織による差、装置による差（機差）および、同一装置における測定日による差（日間差）などがない、２つのスペクトルデータ群を構築する。
【００９５】
これは、がんサンプルにおいて、非がんサンプルと比較してその量に差がある物質が検出されたときに、その差ががんに罹患にしていることに起因し、組織による差などの他の条件の違いに起因しないことを明確化するためである。例えば、極端な例として、肝臓からがんサンプルが、腎臓から非がんサンプルがそれぞれ採取された場合を考える。この場合、独立成分分析によりがんサンプルと非がんサンプルにおいて量の差がみられる物質が見いだされたとしても、その差ががんに罹患しているか否かによるものか、臓器による差によるものかが区別できない。よって、がんサンプルおよび非がんサンプルを比較するにあたっては、がん／非がん以外の条件である、患者、臓器などの条件を共通するように構成することが望まれる。
【００９６】
特に、ＰＥＳＩ−ＭＳは簡便に生体試料の質量分析データを取得できる装置である一方、その質量分析データには、機差および日間差が現れることが知られている。ゆえに、がんサンプルと非がんサンプルとの対比においては、装置ＩＤおよび測定日も同一であることが望まれる。
【００９７】
図５では、データｄ１，ｄ２，ｄ３・・・に非がんサンプルのスペクトルデータに関する情報が表形式で示され、データｄ３０１，ｄ３０２・・・にがんサンプルのスペクトルデータに関する情報が表形式で示されている。以下、がんサンプルのスペクトルデータを「がんデータ」とも称し、非がんサンプルのスペクトルデータを「非がんデータ」とも称する。図５の例では、データｄ１およびデータｄ３０１において、サンプルががんに罹患しているか否かは互いに異なるが、患者ＩＤ、測定日時、装置ＩＤなどその他の条件は同じである。以下、このようながん／非がんのみが異なるデータを、互いに対となるデータであるとも称する。このような互いに対となるデータは、後の解析に使用される。
【００９８】
データｄ３およびデータｄ３０２も同様に、互いに対となるデータである。よって、データｄ３およびｄ３０２は、後の解析に使用される。
【００９９】
しかし、データｄ２については、互いに対となるデータが存在しない。すなわち、データｄ２には、患者ＩＤ（付随して患者の性別、年齢）、臓器、装置ＩＤ、測定日時が同一となる非がんデータがない。このような互いに対とならないデータは除外され、後の解析に使用されない。
【０１００】
また、患者ＩＤ、臓器、装置ＩＤ、測定日時が全て同一であるスペクトルデータにおいて、がんデータの数が２つ、非がんデータの数が１つのように数が不均衡となるなら、がんデータの１つを除外してデータ数を合わせることが望ましい。このようにがんデータと非がんデータのデータ数を合わせると、がんデータと非がんデータとの間でデータ数による解析結果の見た目の差が生じないので、適切な比較が行ないやすい。
【０１０１】
上記のようにデータを絞り込んだ結果、がん／非がんの条件のみが異なり、他の条件は同じである２つのスペクトルデータ群（がんデータ群および非がんデータ群）が生成できる。
【０１０２】
次に、生成した２つのスペクトルデータ群に含まれるスペクトルデータの各ピークを抽出する。そして、各ピークのｍ／ｚ値およびピーク強度を抽出する。上述のように、本実施の形態では、複数のｍ／ｚ値をそれぞれ有する複数のピークの各々について、複数のサンプルでの各々のピーク強度を独立成分分析することで、がんマーカ候補の探索を支援する。
【０１０３】
図６の上段には、非がんデータおよびがんデータの各々のデータごとに、ピークのｍ／ｚ値に対するピーク強度をまとめた表が示される。この上段の表のように、各ピークのｍ／ｚ値に対するピーク強度をまとめた表を「ピークマトリクス」とも称する。各ｍ／ｚ値に対応する物質の量は上記のように、個人差、組織の差などの諸条件により変化するので、サンプルごとに同じｍ／ｚ値に対するピーク強度は異なる。
【０１０４】
ここで、独立成分分析をしたいのは、上述したように、同一のｍ／ｚ値（すなわち、同一の物質）に対する非がんデータおよびがんデータの各々におけるピーク強度である。そのために、図６の上段の表を図６の中段のように行および列を転置し、さらに図６の下段のように非がんデータのピークマトリクスとがんデータのピークマトリクスを積重することで、各ｍ／ｚ値に対して、非がんデータおよびがんデータについて独立成分分析をする準備が整う。
【０１０５】
図６の下段に示されるピークマトリクスの行方向（すなわち横方向）を１つのベクトルとして独立成分分析にかけると、各ｍ／ｚ値において、各データを構成する独立成分および独立成分スコアが算出される。
【０１０６】
なお、独立成分の数ｋ（ｋ：自然数）は、ｎ≧ｋの範囲（ｎはデータ数）で、分析者が任意に設定することができる。本実施の形態ではｋ＝２０と設定している。
【０１０７】
すなわち、独立成分分析の結果、各ｍ／ｚベクトルに対し、ｙ１〜ｙ２０の合計２０個の独立成分に対するサンプル毎の独立成分スコアαの分布が得られる。独立成分スコアの分布の３つの代表的な例が図７〜図９に示される。なお、ピークマトリクスを独立成分分析にかける前には、スペクトルデータの解析にて、通常、前処理として行なわれる標準化処理が行なわれる。
【０１０８】
図７は、独立成分スコアの分布の第１の例を示す図である。図７は、第１の独立成分における独立成分スコアの分布を示している。図７の横軸はｍ／ｚ値を示し、縦軸は独立成分スコアを示す。黒丸はがんデータを示し、十字は非がんデータを示す。なお、縦軸、横軸、黒丸、十字の定義は図８、図９においても同じである。以下、独立成分スコアを「ＩＣスコア」とも称する。すなわち、がんデータおよび非がんデータは合わせて独立成分分析された後に、分析結果を示すグラフにおいて区別がつくように表示される。なお、ＩＣスコアの絶対値の大小は、各データにおける当該独立成分の影響の大小を示す。すなわち、ＩＣスコアは０に近いほど、各データにおける当該独立成分の影響が小さく、ＩＣスコアが正負に大きいほど、各データにおける当該独立成分の影響が大きい。
【０１０９】
図７において、ほとんどのｍ／ｚ値において、ＩＣスコアはがんデータおよび非がんデータ共に０付近の値をとる。すなわち、各データにおいて、第１の独立成分の影響が小さい。一方、図７において領域ｃ１で示した部分では、非がんデータは０付近の値を示すが、がんデータは比較的高い（絶対値が大きい）ＩＣスコアを示している。すなわち、図７の領域ｃ１の部分に対応するｍ／ｚ値で示される物質は、がんサンプルで絶対値が大きいＩＣスコアを示すので、いわゆるがんマーカの候補であるとみなすことができる。
【０１１０】
図８は、独立成分スコアの分布の第２の例を示す図である。図８は、第２の独立成分におけるＩＣスコアの分布を示している。図８においてもほとんどのｍ／ｚ値において、ＩＣスコアはがんデータおよび非がんデータ共に０付近の値をとる一方、領域ｃ２で示した部分では非がんデータについてのみ比較的低い（絶対値が大きい）ＩＣスコアを示している。すなわち、図８で領域ｃ２をつけた部分に対応するｍ／ｚ値で示される物質は、非がんデータで絶対値が大きいＩＣスコアを示すので、非がんサンプルの指標となりうる物質であるとみなすことができる。
【０１１１】
図９は、独立成分スコアの分布の第３の例を示す図である。図９は、第３の独立成分におけるＩＣスコアの分布を示している。図９においてもほとんどのｍ／ｚ値においても、ＩＣスコアはがんデータおよび非がんデータ共に０付近の値をとる。領域ｃ３で示した部分は比較的高い値を示すが、がんデータおよび非がんデータの双方の値が高くなっている。すなわち、第３の独立成分は、がんデータと非がんデータとのＩＣスコアが近似しているので、がん／非がんへの関連性は低いと考えられる。
【０１１２】
図１０は、複数の独立成分に対する独立成分スコアの例を説明するための図である。具体的には、図１０は、２０個の独立成分（ＩＣナンバー１〜２０と称する）において、図７〜図９で示した独立成分ごとのＩＣスコアの分布をまとめて記載したものである。換言すると、図１０に示す各ＩＣナンバーのプロットは、図７〜図９に示した独立成分ごとのＩＣスコアの分布を横軸方向（ｍ／ｚ方向）に圧縮し、その圧縮した分布をＩＣナンバー順に一直線上に並べたものである。なお、図７，図８，図９で示した独立成分は、ＩＣナンバー５，２，３の独立成分にそれぞれ対応する。
【０１１３】
図１０を参照して、２０個の独立成分間でＩＣスコアの分布を比較すると、がんデータと非がんデータとでＩＣスコアの分布が近似している独立成分と、がんデータと非がんデータとでＩＣスコアの分布が異なる独立成分とが存在することがわかる。後者の独立成分において、がんデータにおいて、非がんデータと比べて、ＩＣスコアの絶対値が大きいデータ点に対応するｍ／ｚ値は、がんマーカ候補であると判断できる。よって、図７〜図９のように各独立成分に対するＩＣスコアの分布、または、図１０のように複数の独立成分におけるＩＣスコアの分布を基に、がんデータのＩＣスコアの絶対値が大きいデータ点のｍ／ｚ値を見いだせば、当該ｍ／ｚ値に対応する物質をがんマーカ候補とすることができる。
【０１１４】
たとえば、図１０では、複数のポインタｔ１で示した独立成分は、がんデータのデータ点のみが少なくとも１つのデータ点においてＩＣスコアが、予め定められたしきい値「＋Ｋ」より大きいか、しきい値「−Ｋ」より小さいかのいずれかを示す独立成分を示している。なお、本明細書においてＫは正の数とする。Ｋは任意の値に設定することができる。すなわち、ポインタｔ１で示した独立成分は、がん領域か非がん領域かの差を反映した因子であると考えられる。そして、この独立成分において、ＩＣスコアの絶対値がしきい値Ｋよりも大きいデータ点に対応するｍ／ｚ値は、がんマーカ候補であると考えられる。
【０１１５】
このようにして、本実施の形態に従うデータ解析システム１００では、がんサンプルおよび非がんサンプル由来のマススペクトルデータの各ピーク強度を独立成分分析することにより、がんマーカ候補を抽出することができる。
【０１１６】
［疾患のサブタイプおよびサブタイプマーカを探索する意義］
上記では、データ解析システム１００において、疾患のマーカ候補を探索するデータ解析方法を説明した。以下では、上記のデータ解析方法を基に、疾患のサブタイプおよびサブタイプマーカを探索する方法を説明する。
【０１１７】
がん等の疾患は、サブタイプと呼ばれるいくつかのタイプに分類できることが知られている。乳がんを例に挙げると、ルミナルＡ型、ルミナルＢ型・ＨＥＲ２陰性、ルミナルＢ型・ＨＥＲ２陽性などの複数のサブタイプに細分化される。サブタイプは、悪性度、進行速度、薬剤感受性などが異なる。肝臓がん、腎臓がんおよび大腸がんにおいても同様にサブタイプがある。よって、がん等の疾患に罹患したか否かを判定することに加え、サブタイプも特定することで、患者個人に最適な薬剤の選定、および、その他の治療方法を決定する、いわゆる「個別化医療」を行なうことが可能となる。このようなサブタイプの特定およびそれに基づく個別化医療は、実際に医療現場での導入が始まり、さらなる発展が期待されている。
【０１１８】
これまでの各種がんのサブタイプは、病理分類に基づいて分類されたものが多かった。病理分類とは、細胞染色による見た目の違いなどの病理学的な見地からの分類を示す。しかし、がん細胞が有する種々の性質は、がん細胞が生成するタンパク質、脂質、代謝物などの生化学的な物質がもたらす悪影響によるものである。さらに、このような何らかの悪影響をもたらす物質に特異的に結合するなどしてその症状を抑える効力を有する薬剤は、分子標的薬または、分子標的抗がん剤など称され、近年着目されている。従って、生化学的な物質に着目したサブタイプ分類は、サブタイプの本質を捉えており、かつ、薬剤選定および創薬、その他の治療の決定の観点からも有用である。しかし、生化学的な観点に基づくサブタイプ分類は未だ十分になされていない。
【０１１９】
よって、本実施の形態に従うデータ解析システム１００では、上述した疾患マーカ物質の探索支援方法と同様の考え方により、疾患のサブタイプおよびサブタイプのマーカ候補の探索を支援する方法を実現する。疾患のサブタイプは、当該サブタイプ特異的に増加または減少する物質の違いで分類できると考えられる。従って、疾患に罹患したサンプルのスペクトルデータを存在する疾患のマーカの種類に基づいて分類すれば、がんのサブタイプを見いだすことができると考えられる。また、当該サブタイプにのみ特異的にピーク強度が大きいまたは小さい疾患のマーカ候補は当該サブタイプのマーカ候補であると考えられる。
【０１２０】
［疾患のサブタイプおよびサブタイプマーカ候補の探索を支援する方法］
まず、前準備として、ピークマトリクスのダウンサイジングを行なう（図４のステップ４６に相当）。具体的には、各がんのサブタイプおよびそのマーカ候補は、がんマーカ候補を分類することで得られるので、がんマーカ候補以外のピークの情報は不要である。よって、図６に示したピークマトリクスにおいて、上記の独立成分分析でがんマーカ候補とされたｍ／ｚ値を残し、残りのｍ／ｚ値を削除する。
【０１２１】
これにより、ピークマトリクスは必要な情報のみにダウンサイジングできるので、サブタイプおよびサブタイプマーカ候補の探索を支援するための解析において、ノイズが減ることによって解析の精度を高めることができる。
【０１２２】
本実施の形態において、がんのサブタイプの分類には、階層的クラスタリング（ＨＣＡ：Hierarchical  Cluster  Analysis）を用いる。ＨＣＡは、異なる性質のものが混ざり合っている対象から似たものを集めてクラスタ（グループ）を作り、対象を分類する方法である。ピークマトリクスをＨＣＡにかける前に、一般的なスペクトルデータの解析において、前処理として行なわれる標準化処理がなされる。
【０１２３】
具体的には、ダウンサイジングされたピークマトリクスにおいて、ＨＣＡを用いて、サンプル毎（すなわち図６下段の列ごと）の性質を比較する。ＨＣＡの結果、がんマーカ候補となる物質の量の変動パターンが類似するデータ同士が同じクラスタに分類される。
【０１２４】
図１１は、ＨＣＡによるクラスタ分割の例を示すための図である。図１１の横軸は、各データＩＤ（図１１では２２７個、ただし並び順はデータＩＤ順ではない）を示し、縦軸は線でつながれるデータ間の「距離」を示す。データ間の距離とは端的にはデータ間の類似度を示す。具体的には、各データをつなぐ縦線の長さが短いほど、各データ間の距離は近く、各がんマーカ候補となる物質の存在量のパターンが近い。すなわち、同じクラスタに含まれるデータは、同じようながんマーカを有する、がんマーカのサブタイプであると言える。ＨＣＡの結果は、一般的に、図１１のようにクラスタリングが分かりやすいように、距離の近いもの同士が近接するように表示される。従って、図１１の横軸に並んでいる複数のデータＩＤは、各クラスタ内での距離が近いほど近接している傾向がある。
【０１２５】
図１１の例では、図中に記載したＡ〜Ｅの５つのクラスタに分けることができる。したがって、Ａ〜Ｅの５つのクラスタは、各々がんのサブタイプであると考えられる。このように、ＨＣＡを用いてがんマーカ候補の物質に対するマススペクトル間の類似性を評価し、当該類似度に基づいてがんのサブタイプを見いだすことができる。
【０１２６】
次に、２次元ＨＣＡにより、がんのサブタイプマーカ候補の探索を支援する方法を説明する。図１２は、２次元ＨＣＡによるクラスタ分割の例を示すための図である。２次元ＨＣＡとは、端的には、データ間の類似性を評価するのに加え、ピーク強度の類似性も評価し、それぞれの類似性を１つの図にまとめたものである。すなわち、図６の下段のピークマトリクスにおいて、列ごとの類似性を評価するのに加え、行ごとの類似性も評価し、２次元のクラスタリングが行なわれる。図１２の例では、中央に２次元ＨＣＡの結果がヒートマップｒ１で表されており、ヒートマップｒ１の左側には後述するツリー図ｒ２が示され、ヒートマップｒ１の上方には後述するツリー図ｒ２が示されている。
【０１２７】
ヒートマップｒ１において、各行は図１１で示した各データを示し、各列は図１０で見いだされた各マーカ候補を示している。各セルの色の濃さはピーク強度が表されており、色が濃いほど高い（すなわち物質の量が多い）。
【０１２８】
ツリー図ｒ２には、ヒートマップｒ１を基に、図１１と同様に各データ間の距離が示されている。ツリー図ｒ２においても、データは図１１と同じＡ〜Ｅのクラスタに分割され、図１１と同じＡ〜Ｅのクラスタに分類できることが示されている。よって、必ずしもがんデータのＨＣＡを行なわずとも、２次元ＨＣＡだけでもがんのサブタイプの探索を支援することは可能である。しかし、両解析を行なうことで、両解析の結果が一致することを確認することが可能であり、解析結果の信頼性が確認できる。
【０１２９】
ツリー図ｒ３には、各マーカ候補の距離がつなぐ線の長さで表されている。これによると、がんマーカ候補はＡ〜Ｅのサブタイプ候補に対応して５つにクラスタリングされる。
【０１３０】
再びヒートマップｒ１を参照すると、たとえば図中の領域ｃ４においては、特定のがんサブタイプ（ここではＡ）に対して、存在量が多いマーカ候補が存在することを確認できる。
【０１３１】
このように、図１２によりクラスタリングされたがんマーカ候補は、それぞれ対応するがんサブタイプのマーカ候補となる。なお、上記クラスタリングの手法は、ＨＣＡおよび２次元ＨＣＡに限定されず、クラスタリングによりサブタイプおよび／またはサブタイプのマーカ候補が抽出可能であれば良い。上記クラスタリングの手法は、たとえば、ｋ−ｍｅａｎｓ法またはｔ−ＳＮＥ（t-distributed  stochastic  neighbor  embedding）であってもよい。
【０１３２】
このように本実施の形態に従うデータ解析システム１００においては、がんサンプルおよび非がんサンプルのマススペクトルを因子分解することで、がんマーカ候補を抽出できる。さらに、抽出されたがんマーカ候補をクラスタリングすることで、がんのサブタイプおよびサブタイプのマーカ候補の探索を支援できる。よって、生体試料の分析から得られた定量的データを基に、疾患のマーカ物質の探索を支援するマーカ物質の探索支援方法、探索支援プログラムおよび探索支援装置を提供できる。
【０１３３】
［態様］
上述した複数の例示的な実施形態は、以下の態様の具体例であることが当業者により理解される。
【０１３４】
（第１項）一態様に係る疾患のマーカ物質の探索支援方法は、演算部と表示部とを備えたコンピュータを用いて、疾病の指標となるマーカ物質の探索を支援する方法であって、
被検体において前記疾病に起因して病変した組織の病変領域から採取された第１のサンプルを質量分析して得られた第１のスペクトルデータを取得するステップと、
前記病変した組織の非病変領域から採取された第２のサンプルを質量分析して得られた第２のスペクトルデータを取得するステップと、
前記演算部により、前記第１および第２のスペクトルデータのピーク強度を因子分解するステップと、
前記演算部により、前記第１のスペクトルデータおよび前記第２のスペクトルデータの間でスコアの大きさが異なる因子を抽出するステップと、
前記表示部により、抽出した前記因子に対応する前記第１および第２のスペクトルデータに基づく情報を表示するステップとを備えてよい。
【０１３５】
第１項に記載の疾患のマーカ物質の探索支援方法によれば、生体試料の分析装置から得られた定量的データを基に、疾患のマーカ物質の探索を支援することができる。
【０１３６】
（第２項）第１項に記載の疾患のマーカ物質の探索支援方法において、
しきい値を取得するステップと、
前記演算部により、前記第１のスペクトルデータのスコアが前記しきい値より大きくなり、かつ、前記第２のスペクトルデータのスコアが前記しきい値より小さくなる因子を抽出するステップと、
前記演算部により、抽出した前記因子に対応する前記第１のスペクトルデータの質量電荷比を、前記マーカ物質の候補として抽出するステップと、
前記表示部により、抽出した前記マーカ物質の候補を表示するステップとをさらに備えてよい。
【０１３７】
第２項に記載の疾患のマーカ物質の探索支援方法によれば、病変領域においてスコアが大きくなる物質、すなわち、病変領域において存在量が増える物質を探索し、当該物質を病変領域のマーカ物質の候補とし、表示することができる。
【０１３８】
（第３項）第１項または第２項に記載の疾患のマーカ物質の探索支援方法において、前記因子分解するステップは、
前記演算部により、前記第１および第２のスペクトルデータのピーク強度をピークにおける質量電荷比ごとに配列したピークマトリクスを生成するステップと、
前記演算部により、前記ピークマトリクスを独立成分分析するステップとを含んでよい。
【０１３９】
第３項に記載の疾患のマーカ物質の探索支援方法によれば、ピーク強度をピークにおける質量電荷比ごとに配列したピークマトリクスを独立成分分析することで、疾患のマーカ物質の候補を探索することができる。
【０１４０】
（第４項）第２項に記載の疾患のマーカ物質の探索支援方法において、前記第１のスペクトルデータを取得するステップは、複数の被検体の同一組織の病変領域からそれぞれ採取された複数の前記第１のサンプルを質量分析して得られた、複数の前記第１のスペクトルデータを取得し、
前記第２のスペクトルデータを取得するステップは、前記複数の被検体の前記同一組織の非病変領域からそれぞれ採取された複数の前記第２のサンプルを質量分析して得られた、複数の前記第２のスペクトルデータを取得し、
前記因子分解するステップは、前記複数の第１のスペクトルデータおよび前記複数の第２のスペクトルデータのピーク強度を因子分解し、
抽出した前記マーカ物質の候補が複数ある場合、前記演算部により、前記複数の第１のスペクトルデータを複数のサブタイプに分類するステップと、
前記表示部により、前記複数のサブタイプを表示するステップとをさらに備えてよい。
【０１４１】
第４項に記載の疾患のマーカ物質の候補の探索方法によれば、疾患のマーカ物質の候補だけではなく、疾患のサブタイプを探索できる。
【０１４２】
（第５項）第４項に記載の疾患のマーカ物質の探索支援方法において、演算部により、各前記複数のサブタイプにそれぞれ対応するマーカ物質の候補を探索するステップと、
前記表示部により、各複数のサブタイプにそれぞれ対応するマーカ物質の候補を表示するステップとをさらに備えてよい。
【０１４３】
第５項に記載の疾患のマーカ物質の候補の探索方法によれば、疾患のマーカ物質の候補だけではなく、疾患のサブタイプのマーカ候補を探索し、当該マーカ物質の候補を表示できる。
【０１４４】
（第６項）第４項に記載の疾患のマーカ物質の探索支援方法において、前記因子分解するステップは、
前記演算部により、前記第１および第２のスペクトルデータのピーク強度をピークにおける質量電荷比ごとに配列したピークマトリクスを生成するステップと、
前記演算部により、前記ピークマトリクスを独立成分分析するステップとを含み、
前記分類するステップは、前記ピークマトリクスを、抽出した複数の前記マーカ物質の候補に対応する質量電荷比のみを含むようにダウンサイジングするステップと、
ダウンサイジングした前記ピークマトリクスを多変量解析することにより、前記複数の第１のスペクトルデータのクラスタ分割を行なうステップとを含んでよい。
【０１４５】
第６項に記載の疾患のマーカ物質の候補の探索方法によれば、ピーク強度をピークにおける質量電荷比ごとに配列したピークマトリクスを独立成分分析することで、疾患のマーカ物質の候補を探索することができる。また、当該ピークマトリクスをダウンサイジングした上で多変量解析にすることにより、疾患のサブタイプのマーカ物質の候補を探索することができる。
【０１４６】
（第７項）第１項〜第６項のいずれか１項に記載の疾患のマーカ物質の探索支援方法において、前記第２のスペクトルデータを取得するステップは、前記第１のスペクトルデータと同日に同一の質量分析装置を用いて得られた前記第２のスペクトルデータを取得してよい。
【０１４７】
第７項に記載の疾患のマーカ物質の探索支援方法によれば、第１のスペクトルデータおよび第２のスペクトルデータ間には装置差および日間差が無い。よって、第１のスペクトルデータおよび第２のスペクトルデータの差を抽出すれば、当該差は病変によるものであると考えられる。
【０１４８】
（第８項）第５項に記載の疾患のマーカ物質の探索支援方法において、前記複数のサブタイプにそれぞれ対応するマーカ物質の候補を探索するステップは、前記ピークマトリクスを多変量解析することにより、マーカ物質の候補のクラスタ分割を行なってよい。
【０１４９】
第８項に記載の疾患のマーカ候補の探索方法によれば、抽出した疾患のマーカ候補を基に、疾患のサブタイプのマーカ候補を探索できる。
【０１５０】
（第９項）第１項〜第８項のいずれか１項に記載の疾患のマーカ物質の候補の探索支援方法において、前記質量分析には、探針エレクトロスプレーイオン化質量分析計（ＰＥＳＩ−ＭＳ：Probe Electro Spray Ionization Mass Spectrometry)５０を用いてよい。
【０１５１】
第９項に記載の疾患のマーカ物質の候補の探索支援方法によれば、ＰＥＳＩ−ＭＳで取得されるごく少量のサンプルを基に、疾患のマーカ候補を探索できる。
【０１５２】
（第１０項）第２項に記載の疾患のマーカ候補の探索方法において、前記病変領域は、がんに罹患した領域であり、
前記病変領域のマーカ候補は、がんのマーカ物質の候補であってよい。
【０１５３】
第１０項に記載の疾患のマーカ物質の候補の探索支援方法によれば、がんのマーカ物質の候補を探索できる。
【０１５４】
（第１１項）第１項〜第１０項のいずれか１項に記載の疾患のマーカ物質の候補の探索支援方法において、前記ステップの少なくとも１つのステップの結果を、表およびグラフの少なくとも一方の形式で表示するステップをさらに備えてよい。
【０１５５】
第１１項に記載の疾患のマーカ物質の候補の探索支援方法によれば、当該ステップに対応する処理の結果を、分析者が理解することの助けになる。
【０１５６】
（第１２項）一態様に係る疾患のマーカ物質の候補の探索支援方法は、演算部と表示部とを備えたコンピュータを用いて、疾病の指標となるマーカ物質の探索を支援する方法であって、
被検者の前記疾病に起因して病変した組織の病変領域から採取された第１のサンプルを定量的に分析することにより、第１の定量的データを取得するステップと、
前記病変した組織の非病変領域から採取された第２のサンプルを定量的に分析することにより、第２の定量的データを取得するステップと、
前記演算部により、前記第１および第２の定量的データを因子分解するステップと、
前記演算部により、前記第１の定量的データおよび前記第２の定量的データの間でスコアの大きさが異なる因子を抽出するステップと、
前記表示部により、抽出した前記因子に対応する前記第１および第２の定量的データに基づく情報を表示するステップとを備えてよい。
【０１５７】
第１２項に記載の疾患のマーカ物質の候補の探索支援方法によれば、生体試料の分析装置から得られた定量的データを基に、疾患のマーカ物質の候補の探索を支援することができる。
【０１５８】
（第１３項）一態様に係る疾患のマーカ候補の探索プログラムは、演算部と表示部とを備え、疾病の指標となるマーカ物質の探索を支援するためのプログラムであって、
被検体において前記疾病に起因して病変した組織の病変領域から採取された第１のサンプルを質量分析して得られた第１のスペクトルデータを取得するステップと、
前記病変した組織の非病変領域から採取された第２のサンプルを質量分析して得られた第２のスペクトルデータを取得するステップと、
前記第１および第２のスペクトルデータのピーク強度を因子分解するステップと、
前記第１のスペクトルデータおよび前記第２のスペクトルデータの間でスコアの大きさが異なる因子を抽出するステップと、
前記表示部により、抽出した前記因子に対応する前記第１および第２のスペクトルデータに基づく情報を表示するステップとを前記演算部に実行させてよい。
【０１５９】
第１３項に記載のマーカ物質の候補の探索支援プログラムによれば、生体試料の分析装置から得られた定量的データを基に、疾患のマーカ物質の候補の探索を支援することができる。
【０１６０】
（第１４項）一態様に係るマーカ物質の探索支援装置は、第１のサンプルおよび第２のサンプルをそれぞれ質量分析して得られた第１のスペクトルデータおよび第２のスペクトルデータを取得する通信部と、
前記通信部により取得された前記第１のスペクトルデータおよび前記第２のスペクトルデータを解析する演算部とを備え、
前記第１のサンプルは、被検体において前記疾病に起因して病変した組織の病変領域から採取されたサンプルであり、前記第２のサンプルは、前記病変した組織の非病変領域から採取されたサンプルであり、
前記演算部は、
前記第１および第２のスペクトルデータのピーク強度を因子分解し、
前記第１のスペクトルデータおよび前記第２のスペクトルデータの間でスコアの大きさが異なる因子を抽出し、前記表示部により、抽出した前記因子に対応する前記第１および第２のスペクトルデータに基づく情報を表示してよい。
【０１６１】
第１４項に記載のマーカ物質の探索支援装置によれば、生体試料の分析装置から得られた定量的データを基に、疾患のマーカ物質の候補の探索を支援することができる。
【０１６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６３】
１  イオン化室、２  第１中間真空室、３  第２中間真空室、４  分析室、５  溶媒容器、６  ポンプ、７  ノズル、８  試料ステージ、９，９ａ  試料、１０  探針、１１  高電圧発生部、１２  Ｚ方向駆動部，１３  Ｘ−Ｙ方向駆動部、１４  脱溶媒管、１５  第１イオンガイド、１６  スキマー、１７  第２イオンガイド、１８  マスフィルタ、１９  イオン検出器、２０  コンピュータ、２１，７１  入力機器、２２，７２  ディスプレイ、２６，７６  表示コントローラ、２９，７９  メモリ、３０  電圧発生部、５０  装置本体、５０Ａ  イオン化部、５０Ｂ  質量分析部、７０  解析装置、１００  データ解析システム、２５，７５  入力インターフェイス、２７，７７  通信インターフェイス。
【図１】
2020193901.tif 000006
【図２】
2020193901.tif 000007
【図３】
2020193901.tif 000008
【図４】
2020193901.tif 000009
【図５】
2020193901.tif 000010
【図６】
2020193901.tif 000011
【図７】
2020193901.tif 000012
【図８】
2020193901.tif 000013
【図９】
2020193901.tif 000014
【図１０】
2020193901.tif 000015
【図１１】
2020193901.tif 000016
【図１２】
2020193901.tif 000017